(57)【特許請求の範囲】
【請求項１】
相手側グランド部を有する相手側コネクタと前後方向に沿って嵌合可能なコネクタであって、
前記コネクタは、保持部材と、コンタクトと、シェルと、グランド部材とを備えており、
前記保持部材は、接続空間を規定する絶縁体からなり、
前記コンタクトは、接点を有しており、且つ、前記保持部材に保持されて前記接点が前記接続空間内に位置しており、
前記シェルは、前記前後方向と直交する直交面内において前記保持部材を少なくとも部分的に覆っており、
前記グランド部材は、前記シェルに対して電気的に接続されており、
前記グランド部材は、前記保持部材と前記シェルの間に位置する基部と、前記基部から延びるグランドバネ部と、前記相手側グランド部に接続されるグランド接点部とを有しており、
前記グランドバネ部は、前記前後方向において後方に延びる第１バネ部と、前記第１バネ部の後端から前記前後方向と直交する横方向に延びる第２バネ部と、前記第２バネ部の後端から前記前後方向において前方に延びる第３バネ部とを有しており、
前記第３バネ部は、前記前後方向及び前記横方向の双方と直交する上下方向において、前記第２バネ部より内側に位置しており、
前記グランド接点部は、前記第３バネ部に支持されて前記接続空間内に突出しており、
前記グランドバネ部の前記前後方向における位置は、前記コンタクトの前記前後方向における位置と重複しておらず、
前記保持部材は、前記前後方向において前端を有しており、
前記シェルは、前記前後方向においてシェル前端部を有しており、
前記シェル前端部は、前記前後方向において前記保持部材の前記前端を少なくとも部分的に覆っており、
前記シェル前端部は、前記直交面内において曲がっている曲部を有している
コネクタ。
【請求項２】
請求項１記載のコネクタであって、
前記シェル前端部は、複数のスリットを更に有しており、
前記曲部は、前記スリットの少なくとも一つを含んでおり、
前記スリットの夫々は、前記直交面内において前記シェルの内外を繋いでいると共に前記前後方向において後方に向かって延びている
コネクタ。
【請求項３】
請求項１又は請求項２記載のコネクタであって、
前記グランド部材の前記前後方向における位置は、前記コンタクトの前記前後方向における位置と重複していない
コネクタ。
【請求項４】
請求項１から請求項３までのいずれかに記載のコネクタであって、
前記シェルと前記保持部材との間にグランド収容部が形成されており、
少なくとも前記第１バネ部と前記第２バネ部と前記基部とは、前記グランド収容部に収容されている
コネクタ。
【請求項５】
請求項４記載のコネクタであって、
前記保持部材には、前記グランド収容部と前記接続空間とを隔てる隔壁と、前記隔壁を貫通する開口とが形成されており、
前記第３バネ部及び前記グランド接点部は前記開口に対応して配置されている
コネクタ。
【請求項６】
請求項５記載のコネクタであって、
前記隔壁は、前記第１バネ部の移動を規制する第１規制部と、前記第２バネ部の移動を規制する第２規制部とを有しており、
前記第１規制部は、前記上下方向において内側に向かうと共に前記前後方向において後方に向かうように斜めに延びている
コネクタ。
【請求項７】
請求項１から請求項６までのいずれかに記載のコネクタであって、
前記グランド部材には、前記シェルに押し付けられたバネ片が更に設けられている
コネクタ。
【請求項８】
請求項７記載のコネクタであって、
前記基部は、前記前後方向に延びており、
前記バネ片は、Ｌ字状の形状を有しており、前記基部から前記横方向に延びている
コネクタ。
【請求項９】
請求項１から請求項８までのいずれかに記載のコネクタであって、
前記グランドバネ部は、前記基部から前記横方向に延びる付加的バネ部を更に備えており、
前記第１バネ部は、前記付加的バネ部から前記前後方向において後方に延びている
コネクタ。
【請求項１０】
請求項９記載のコネクタであって、
前記グランド部材は、２つの前記基部と、２つの前記第１バネ部と、３つの前記第３バネ部と、３つの前記グランド接点部とを備えており、
前記２つの基部は、前記横方向において離れて位置しており、
前記付加的バネ部は、前記横方向において前記２つの基部をつないでおり、
前記２つの第１バネ部は、前記横方向において前記２つの基部の内側に位置しており、
前記３つの第３バネ部のうちの１つは、前記横方向において前記２つの第１バネ部の内側に位置しており、残りの２つは、前記横方向において前記２つの第１バネ部の外側に位置しており、
前記３つのグランド接点部は、前記３つの第３バネ部に夫々支持されている
コネクタ。
【請求項１１】
請求項１から請求項１０までのいずれかに記載のコネクタであって、
前記上下方向において、前記第２バネ部は、前記第１バネ部の前端と前記グランド接点部との間に位置している
コネクタ。
【請求項１２】
請求項１から請求項１１までのいずれかに記載のコネクタであって、
前記基部には、前記シェルと前記保持部材とに挟まれて移動を規制された被規制部が設けられている
コネクタ。
【発明の詳細な説明】
【技術分野】
【０００１】
本発明は、相手側コネクタの相手側グランド部に接続されるグランド接点部を備えたコネクタに関する。
【背景技術】
【０００２】
例えば、特許文献１に開示されたコネクタは、この種のグランド接点部を有するシェルを備えている。図１７に示されるように、特許文献１のシェルは、主部９００の前端９０５から折り返された折り返し部９１０と、折り返し部９１０から延びるバネ部９２０とを有している。バネ部９２０には、相手側シェル（図示せず）に接触するグランド接点部９３０が設けられている。このように折り返し部９１０を設けると、主部９００にバネ部９２０を形成するための切り込み（開口）を形成せずに済むので、シェルのシールド特性が損なわれることがない。
【先行技術文献】
【特許文献】
【０００３】
【特許文献１】特開２０１１−１５４９５４号公報
【発明の概要】
【発明が解決しようとする課題】
【０００４】
特許文献１のシェルでは、グランド接点部９３０の位置がコネクタの前端から離れ過ぎており、シェルのグランド接点部９３０が相手側シェル（図示せず）と接続する前にコンタクト同士の接続が行われてしまう可能性がある。
【０００５】
本発明は、グランド接点部の位置をコネクタの前端に近づけた構造を有するコネクタを提供することを目的とする。
【課題を解決するための手段】
【０００６】
本発明は、第１のコネクタとして、
相手側グランド部を有する相手側コネクタと前後方向に沿って嵌合可能なコネクタであって、
前記コネクタは、保持部材と、コンタクトと、シェルと、グランド部材とを備えており、
前記保持部材は、接続空間を規定する絶縁体からなり、
前記コンタクトは、接点を有しており、且つ、前記保持部材に保持されて前記接点が前記接続空間内に位置しており、
前記シェルは、前記前後方向と直交する直交面内において前記保持部材を少なくとも部分的に覆っており、
前記グランド部材は、前記シェルに対して電気的に接続されており、
前記グランド部材は、前記保持部材と前記シェルの間に位置する基部と、前記基部から延びるグランドバネ部と、前記相手側グランド部に接続されるグランド接点部とを有しており、
前記グランドバネ部は、前記前後方向において後方に延びる第１バネ部と、前記第１バネ部の後端から前記前後方向と直交する横方向に延びる第２バネ部と、前記第２バネ部の後端から前記前後方向において前方に延びる第３バネ部とを有しており、
前記第３バネ部は、前記前後方向及び前記横方向の双方と直交する上下方向において、前記第２バネ部より内側に位置しており、
前記グランド接点部は、前記第３バネ部に支持されて前記接続空間内に突出しており、
前記グランドバネ部の前記前後方向における位置は、前記コンタクトの前記前後方向における位置と重複していない
コネクタを提供する。
【０００７】
本発明は、第２のコネクタとして、第１のコネクタであって、
前記保持部材は、前記前後方向において前端を有しており、
前記シェルは、前記前後方向においてシェル前端部を有しており、
前記シェル前端部は、前記前後方向において前記保持部材の前記前端を少なくとも部分的に覆っており、
前記シェル前端部は、前記直交面内において曲がっている曲部とを有している
コネクタを提供する。
【０００８】
本発明は、第３のコネクタとして、第２のコネクタであって、
前記シェル前端部は、複数のスリットを更に有しており、
前記曲部は、前記スリットの少なくとも一つを含んでおり、
前記スリットの夫々は、前記直交面内において前記シェルの内外を繋いでいると共に前記前後方向において後方に向かって延びている
コネクタを提供する。
【０００９】
本発明は、第４のコネクタとして、第１乃至第３のいずれかのコネクタであって、
前記グランド部材の前記前後方向における位置は、前記コンタクトの前記前後方向における位置と重複していない
コネクタを提供する。
【００１０】
本発明は、第５のコネクタとして、第１乃至第４のいずれかのコネクタであって、
前記シェルと前記保持部材との間にグランド収容部が形成されており、
少なくとも前記第１バネ部と前記第２バネ部と前記基部とは、前記グランド収容部に収容されている
コネクタを提供する。
【００１１】
本発明は、第６のコネクタとして、第５のコネクタであって、
前記保持部材には、前記グランド収容部と前記接続空間とを隔てる隔壁と、前記隔壁を貫通する開口とが形成されており、
前記第３バネ部及び前記グランド接点部は前記開口に対応して配置されている
コネクタを提供する。
【００１２】
本発明は、第７のコネクタとして、第６のコネクタであって、
前記隔壁は、前記第１バネ部の移動を規制する第１規制部と、前記第２バネ部の移動を規制する第２規制部とを有しており、
前記第１規制部は、前記前後方向及び前記横方向の双方と直交する上下方向において内側に向かうと共に前記前後方向において後方に向かうように斜めに延びている
コネクタを提供する。
【００１３】
本発明は、第８のコネクタとして、第１乃至第７のいずれかのコネクタであって、
前記グランド部材には、前記シェルに押し付けられたバネ片が更に設けられている
コネクタを提供する。
【００１４】
本発明は、第９のコネクタとして、第８のコネクタであって、
前記基部は、前記前後方向に延びており、
前記バネ片は、Ｌ字状の形状を有しており、前記基部から前記横方向に延びている
コネクタを提供する。
【００１５】
本発明は、第１０のコネクタとして、第１乃至第９のいずれかのコネクタであって、
前記グランドバネ部は、前記基部から前記横方向に延びる付加的バネ部を更に備えており、
前記第１バネ部は、前記付加的バネ部から前記前後方向において後方に延びている
コネクタを提供する。
【００１６】
本発明は、第１１のコネクタとして、第１０のコネクタであって、
前記グランド部材は、２つの前記基部と、２つの前記第１バネ部と、３つの前記第３バネ部と、３つの前記グランド接点部とを備えており、
前記２つの基部は、前記横方向において離れて位置しており、
前記付加的バネ部は、前記横方向において前記２つの基部をつないでおり、
前記２つの第１バネ部は、前記横方向において前記２つの基部の内側に位置しており、
前記３つの第３バネ部のうちの１つは、前記横方向において前記２つの第１バネ部の内側に位置しており、残りの２つは、前記横方向において前記２つの第１バネ部の外側に位置しており、
前記３つのグランド接点部は、前記３つの第３バネ部に夫々支持されている
コネクタを提供する。
【００１７】
本発明は、第１２のコネクタとして、第１乃至第１１のいずれかのコネクタであって、
前記前後方向及び前記横方向の双方と直交する上下方向において、前記第２バネ部は、前記第１バネ部の前端と前記グランド接点部との間に位置している
コネクタを提供する。
【００１８】
本発明は、第１３のコネクタとして、第１乃至第１２のいずれかのコネクタであって、
前記基部には、前記シェルと前記保持部材とに挟まれて移動を規制された被規制部が設けられている
コネクタを提供する。
【発明の効果】
【００１９】
グランド接点部をシェルとは別体のグランド部材に設けると共にグランド部材をシェルに電気的に接続することとしたことから、グランド接点部やそれを弾性支持するグランドバネ部の構造的自由度を高めてグランド接点部をコネクタの前端に近づけつつグランド接点部がシェルに設けられていた場合と電気的に同一の機能を確保することができる。
【００２０】
特に、グランドバネ部が第１バネ部と第２バネ部と第３バネ部とを有していることから、前後方向におけるスペースが限られた範囲内において、比較的長い総バネ長を確保することができ、グランド接点部の変位量を増やし、相手側グランド部に対する十分な接触圧を確保することができる。
【図面の簡単な説明】
【００２１】
【図１】本発明の実施の形態によるコネクタを示す斜視図である。
【図２】図１のコネクタを示す正面図である。
【図３】図１のコネクタを示す分解斜視図である。
【図４】図２のコネクタをＤ--Ｄ線に沿って示す断面図である。
【図５】図３の保持部材の主部材を示す斜視図である。
【図６】図３のグランド部材を示す斜視図である。
【図７】図６のグランド部材を示す他の斜視図である。
【図８】図６のグランド部材を示す上面図である。
【図９】図３の保持部材の主部材とグランド部材とを示す斜視図である。
【図１０】図２のコネクタの一部をＡ--Ａ線に沿って示す拡大断面図である。
【図１１】図２のコネクタの一部をＢ--Ｂ線に沿って示す拡大断面図である。
【図１２】図２のコネクタの一部をＣ--Ｃ線に沿って示す拡大断面図である。
【図１３】図２のコネクタの一部をＤ--Ｄ線に沿って示す拡大断面図である。
【図１４】図２のコネクタの一部をＥ--Ｅ線に沿って示す拡大断面図である。
【図１５】図１のコネクタの変形例を示す斜視図である。
【図１６】図１５のコネクタを示す正面図である。
【図１７】特許文献１のシェルの一部を示す斜視図である。
【発明を実施するための形態】
【００２２】
図１乃至図４を参照して、本発明の実施の形態によるコネクタ１０は、相手側グランド部（図示せず）を有する相手側コネクタ（図示せず）と前後方向（Ｘ方向）に沿って嵌合可能なものである。図１及び図２から理解されるように、本実施の形態によるコネクタ１０は横方向（Ｙ方向）において対称な構造を有している。また、図４から理解されるように、コネクタ１０は上下方向（Ｚ方向）においても対称な構造を有している。
【００２３】
図３に示されるように、コネクタ１０は、保持部材２０と、導電体からなる複数のコンタクト６０と、導電体からなるグランドプレート６５と、金属製のシェル７０と、導電体からなるグランド部材１００とを備えている。
【００２４】
図３及び図４から理解されるように、保持部材２０は、絶縁体からなる主部材２５と、主部材２５に収容される絶縁体からなる副部材３０とを備えている。本実施の形態において、副部材３０の数は２である。即ち、本実施の形態の保持部材２０は、３つの部材からなる。但し、本発明はこれに限定されるわけではなく、保持部材２０は一つの部材からなるものであってもよい。
【００２５】
図５に示されるように、保持部材２０の主部材２５は、接続空間３５を規定している。図１及び図４に示されるように、接続空間３５は、コネクタ１０の前端１２において開口している。
【００２６】
図５を参照すると、主部材２５には、隔壁４０と、上下方向において隔壁４０を貫通する３つの開口４２が形成されている。図１１及び図１４に示されるように、隔壁４０とシェル７０とにより、グランド収容部７５が形成される。換言すると、隔壁４０は、グランド収容部７５と接続空間３５とを隔てている。図５に示されるように、隔壁４０は、２つの基準面部４１と、２つの第１規制部４４と、２つの第２規制部４６と、付加的規制部４８とを有している。図１０に示されるように、基準面部４１は、上下方向と直交する平面を構成している。同様に、図１３に示されるように、第２規制部４６は、上下方向と直交する平面を構成しており、図１４に示されるように、付加的規制部４８は、上下方向と直交する平面を構成している。第２規制部４６は、上下方向において、付加的規制部４８よりも内側に位置している。図５に示されるように、本実施の形態による基準面部４１と付加的規制部４８とは同一平面を構成している。また、各第１規制部４４は、横方向において、２つの開口４２の間に位置している。図１３に示されるように、第１規制部４４は、上下方向において内側に向かうと共に後方（−Ｘ側）に向かうように斜めに延びており、第２規制部４６と付加的規制部４８とを結んでいる。即ち、第１規制部４４は、前後方向と斜交する斜面を構成している。
【００２７】
図３及び図４に示されるように、各コンタクト６０は、相手側コネクタ（図示せず）の相手側接点（図示せず）に接続される接点６２と、接続部６４とを有している。図１及び図４から理解されるように、接続部６４は、中継基板２００のパッド２０２に接続される。中継基板２００には、例えば、ケーブルなどが接続される。
【００２８】
図３から理解されるように、複数のコンタクト６０は、２つのグループに分けられており、コンタクト６０のグループは、夫々、副部材３０に保持されて、横方向（ピッチ方向）に整列させられている。グランドプレート６５は、上下方向において、２つの副部材３０に挟まれている。本実施の形態のグランドプレート６５には、相手側コネクタ（図示せず）の被ロック部（図示せず）にロックするロック部を有するロックバネ部が一体形成されている。コンタクト６０を保持した副部材３０とグランドプレート６５は、主部材２５に収容されている。これにより、図４、図１２及び図１３に示されるように、接点６２は、接続空間３５内に位置している。
【００２９】
図１及び図４から理解されるように、シェル７０は、前後方向と直交する直交面（ＹＺ平面）内において保持部材２０を覆っている。図４、図１０乃至図１４から理解されるように、シェル７０は、前後方向においてシェル前端部７１を有している。シェル前端部７１は、前後方向において保持部材２０の前端２２を少なくとも部分的に覆っており、保持部材２０の前端２２を保護している。
【００３０】
図２に示されるように、シェル前端部７１は、２つの直部７２と２つの曲部７３とを有している。直部７２の夫々は、横方向に延びている。２つの直部７２は、上下方向において離れて位置している。曲部７３の夫々は、直交面内において曲がっている。曲部７３は、横方向の両端に位置している。各曲部７３は、２つの直部７２を連結している。
【００３１】
図５、図６及び図９から理解されるように、グランド部材１００は、隔壁４０に搭載される。その状態において、図１及び図４から理解されるように、シェル７０が保持部材２０に取り付けられる。これにより、図４、図１１及び図１４に示されるように、グランド部材１００がグランド収容部７５に部分的に収容される。
【００３２】
図６乃至図８に示されるように、本実施の形態のグランド部材１００は、２つの基部１１０と、２つの基部１１０から夫々延びる２つのバネ片１２０と、基部１１０からバネ片１２０とは別に延びるグランドバネ部１３０と、相手側コネクタ（図示せず）の相手側グランド部（図示せず）に接続される３つのグランド接点部１８０とを有している。グランドバネ部１３０は、２つの基部１１０間を連結する付加的バネ部１７０と、２つの第１バネ部１４０と、１つの第２バネ部１５０と、３つの第３バネ部１６０とを有している。グランド接点部１８０は、第３バネ部１６０に夫々支持されている。
【００３３】
図６乃至図８に示されるように、２つの基部１１０は、横方向において互いに離れて位置している。各基部１１０は、前後方向に延びる細長い板状の形状を有している。基部１１０からは、主部材２５（図５参照）に圧入される圧入部１１４が延びている。また、基部１１０には、被規制部１１２が設けられている。本実施の形態の被規制部１１２は、上下方向において外側に突出した突起である。図１０に示されるように、基部１１０は、隔壁４０の基準面部４１に搭載され、被規制部１１２がシェル７０と保持部材２０に挟まれて移動を規制されることにより、基準面部４１に押し付けられている。
【００３４】
図６乃至図８に示されるように、各バネ片１２０は、短部１２２と長部１２４とからなるＬ字状の形状を有しており、対応する基部１１０から横方向に延びている。詳しくは、短部１２２が基部１１０から横方向に延びており、長部１２４が短部１２２から斜め後方に延びている。図１１に示されるように、バネ片１２０の長部１２４は、シェル７０に押し付けられており、シェル７０に対して電気的に接続されている。
【００３５】
図６乃至図８に示されるように、付加的バネ部１７０は、横方向において２つの基部１１０を連結している。即ち、付加的バネ部１７０は、基部１１０から横方向に延びている。図５、図９及び図１４から理解されるように、付加的バネ部１７０は、付加的規制部４８上に位置している。付加的バネ部１７０が付加的規制部４８上に配置された状態において、付加的バネ部１７０とシェル７０との間には隙間が設けられている。即ち、上下方向において、付加的規制部４８とシェル７０との間の距離は、付加的バネ部１７０のサイズ（厚み）よりも大きい。そのため、本実施の形態の付加的バネ部１７０は、そのシェル７０と付加的規制部４８との間において撓むことができ、バネ性を発揮することができる。
【００３６】
図６乃至図８に示されるように、２つの第１バネ部１４０は、横方向において２つの基部１１０の内側に位置しており、互いに離れて位置している。各第１バネ部１４０は、付加的バネ部１７０の第２前端部１７４から前後方向において後方（−Ｘ側）に延びている。即ち、第２前端部１７４は、第１バネ部１４０の前端（＋Ｘ側端部）である。図１３に示されるように、第１バネ部１４０は、第１規制部４４上に位置しており、第１規制部４４によって上下方向内側に向かう移動を規制されている。
【００３７】
図６乃至図８に示されるように、第２バネ部１５０は、横方向に延びており、２つの第１バネ部１４０の後端（−Ｘ側端部）１４２を連結している。即ち、第２バネ部１５０は、第１バネ部１４０の後端１４２から横方向に延びている。図１３に示されるように、第２バネ部１５０は、上下方向において第２規制部４６の外側に位置しており、第２規制部４６によって上下方向内側に向かう移動を規制されている。
【００３８】
図６乃至図８に示されるように、３つの第３バネ部１６０のうちの１つは、横方向において２つの第１バネ部１４０の内側に位置しており、残りの２つは、横方向において２つの第１バネ部１４０の外側に位置している。各第３バネ部１６０は、上下方向において第２バネ部１５０よりも内側に位置しており、且つ、第２バネ部１５０の後端１５２から前後方向において前方（＋Ｘ側）に延びている。第３バネ部１６０が第２バネ部１５０の前端ではなく後端１５２から前方に延びていることから、第３バネ部１６０をより長くすることができる。図１２に示されるように、第３バネ部１６０は、開口４２を通って接続空間３５内に延びている。これにより、グランド接点部１８０は、第３バネ部１６０に支持されて接続空間３５内に突出している。
【００３９】
このように、本実施の形態においては、第１バネ部１４０及び第２バネ部１５０と基部１１０とは、グランド収容部７５に収容されており（図１０及び図１４参照）、第３バネ部１６０及びグランド接点部１８０は開口４２に対応して配置されている（図９及び図１２参照）。但し、本発明はこれに限定されるわけではなく、例えば、隔壁４０のうちの第１規制部４４及び第２規制部４６に相当する部位を設けずに開口４２を大きく広げて、第１バネ部１４０及び第２バネ部１５０が接続空間３５に面するようにしてもよい（図１４参照）。
【００４０】
図１４から理解されるように、上下方向において第１バネ部１４０のサイズ（厚み）は、隔壁４０とシェル７０との間の隙間より小さいことから、隔壁４０とシェル７０の間で撓むことができる。また、図１３から理解されるように、上下方向において第２バネ部１５０のサイズ（厚み）は、隔壁４０とシェル７０との間の隙間より小さいことから、隔壁４０とシェル７０の間で撓むことができる。更に、図１２から理解されるように、第３バネ部１６０は、開口４２内に延びていることから、撓むことができる。そのため、第１バネ部１４０乃至第３バネ部１６０を有するグランドバネ部１３０は、バネ性を発揮することができる。このように、各グランド接点部１８０に対して、グランドバネ部１３０は、第１バネ部１４０乃至第３バネ部１６０で決まるバネ長を少なくとも有している。即ち、本実施の形態によれば、前後方向において限られたスペースの中で、長いバネ長を得ることができる。特に、本実施の形態のグランドバネ部１３０は、バネ性を有する付加的バネ部１７０を更に備えていることから、第１バネ部１４０乃至第３バネ部１６０のみからなる場合と比較して、更に長いバネ長を得ることができており、グランド接点部１８０の変位量がより大きくなり、より大きな接触力を得ることができる。
【００４１】
特に、図１３に示されるように、上下方向において、第２バネ部１５０（即ち、第１バネ部１４０の後端１４２）は、第１バネ部１４０の前端（第２前端部１７４）とグランド接点部１８０との間に位置している。即ち、第２バネ部１５０は、第１バネ部１４０の前端よりも上下方向において内側に位置している。そのため、上下方向において第２バネ部１５０の外側には比較的大きなスペースが位置しており、そこにおいて第２バネ部１５０自体も撓むことができると共に第１バネ部１４０の撓みも大きくとることができる。したがって、第１バネ部１４０の前端（第２前端部１７４）と後端１４２とが上下方向において同じ位置にある場合と比較して更に大きなグランド接点部１８０の変位量となり更に大きな接触力を得ることができる。
【００４２】
図１２から理解されるように、グランド部材１００の前後方向における位置は、コンタクト６０の前後方向における位置と重複していない。即ち、前後方向において、グランド部材１００とコンタクト６０とは異なる位置に位置している。換言すると、グランド部材１００とコンタクト６０とを前後方向と直交する直交方向（Ｙ方向やＺ方向）からグランド部材１００とコンタクト６０以外の部材を透過してみた場合において、グランド部材１００とコンタクト６０とは重なっていない。従って、グランドバネ部１３０がどんなに変形したとしても、コンタクト６０に接触してしまうことがない。
【００４３】
なお、例えば、コンタクト６０にグランドコンタクトが含まれている場合に、そのグランドコンタクトについてはグランド部材１００と前後方向において同じ位置に位置していてもよい。例えば、基部１１０の横方向における位置とグランドコンタクトの横方向における位置が同じ場合、基部１１０の前後方向における位置とグランドコンタクトの前後方向における位置とが一部重複していてもよい。但し、その場合であっても、グランドバネ部１３０とコンタクト６０とが接触してしまうことを確実に避けるためには、グランドバネ部１３０の前後方向における位置は、コンタクト６０の前後方向における位置と重複していないことが望ましい。即ち、前後方向において、グランドバネ部１３０とコンタクト６０とは異なる位置に位置していることが望ましい。換言すると、グランドバネ部１３０とコンタクト６０とを前後方向と直交する直交方向（Ｙ方向やＺ方向）からグランド部材１００とコンタクト６０以外の部材を透過してみた場合において、グランドバネ部１３０とコンタクト６０とは重なっていないことが望ましい。
【００４４】
以上、具体的な実施の形態を掲げて本発明について説明してきたが、本発明はこれに限定されるものではなく、様々な変形等が可能である。
【００４５】
上述した実施の形態において、グランド部材１００は付加的バネ部１７０を含んでいたが、機能的に付加的バネ部１７０を省略してもよい。例えば、第２前端部１７４の位置に被規制部１１２を設けて付加的バネ部１７０をシェル７０と保持部材２０の間に固定して付加的バネ部１７０のバネ性を無くし、基部１１０を付加的バネ部１７０の設けられているところまで延長することとしてもよい。
【００４６】
上述した実施の形態においては、付加的バネ部１７０が凸凹の形状を有していたが、前後方向において寸法的余裕がある場合には、付加的バネ部１７０を真っ直ぐに構成し、前壁５０の厚みを一定にしてもよい。
【００４７】
更に、上述した実施の形態のコネクタ１０のシェル７０を図１５及び図１６に示されるように変形することとしてもよい。図１５及び図１６を参照すると、変形例によるコネクタ１０ａのシェル７０ａの有するシェル前端部７１ａには、複数のスリット７７，７８が形成されている。図１６に示されるように、スリット７７，７８の夫々は、直交面内においてシェル７０ａの内外を繋いでいる。また、図１５から理解されるように、スリット７７，７８の夫々は、前後方向において後方に向かって延びている。
【００４８】
詳しくは、図１５及び図１６に示されるように、曲部７３ａの夫々には、２つのスリット７７が設けられており、曲部７３ａと２つの直部７２ａとの境界には夫々スリット７８が設けられている。このように、１つの曲部７３ａに関連して４つのスリット７７，７８が存在している。これらのスリット７７，７８を設けていることから、コストアップを避けつつ、曲部７３ａを形成しやすくなっている。スリット７７，７８の数には制限はないが、直部７２ａと曲部７３ａとを明確に分けるために、直部７２ａと曲部７３ａとの境界部分にはスリット７８があった方が好ましい。また、曲部７３ａ自体を形成し易くするため、曲部７３ａ自体にも少なくとも一つのスリット７７が含まれていることが好ましい。
【符号の説明】
【００４９】
１０，１０ａ        コネクタ
１２        前端
２０        保持部材
２２        前端
２５        主部材
３０        副部材
３５        接続空間
４０        隔壁
４１        基準面部
４２        開口
４４        第１規制部
４６        第２規制部
４８        付加的規制部
６０        コンタクト
６２        接点
６４        接続部
６５        グランドプレート
７０，７０ａ        シェル
７１，７１ａ        シェル前端部
７２，７２ａ        直部
７３，７３ａ        曲部
７５        グランド収容部
７７，７８        スリット
１００        グランド部材
１１０        基部
１１２        被規制部
１１４        圧入部
１２０        バネ片
１２２        短部
１２４        長部
１３０        グランドバネ部
１４０        第１バネ部
１４２        後端
１５０        第２バネ部
１５２        後端
１６０        第３バネ部
１７０        付加的バネ部
１７２        第１前端部
１７４        第２前端部
１７６        連結部
１８０        グランド接点部
２００        中継基板
２０２        パッド
【図１】
0005905941.tif 000002
【図２】
0005905941.tif 000003
【図３】
0005905941.tif 000004
【図４】
0005905941.tif 000005
【図５】
0005905941.tif 000006
【図６】
0005905941.tif 000007
【図７】
0005905941.tif 000008
【図８】
0005905941.tif 000009
【図９】
0005905941.tif 000010
【図１０】
0005905941.tif 000011
【図１１】
0005905941.tif 000012
【図１２】
0005905941.tif 000013
【図１３】
0005905941.tif 000014
【図１４】
0005905941.tif 000015
【図１５】
0005905941.tif 000016
【図１６】
0005905941.tif 000017
【図１７】
0005905941.tif 000018